【事件の表示】
　平成７年特許願第８３７７８号「無機質化粧板の製造方法」の拒絶の査定に対する審判事件［平成８年１０月２９日出願公開、特開平８−２８１２０２号］について、次のとおり審決する。
【結　論】
　本件審判の請求は、成り立たない。
【理　由】
１．手続の経緯
（１）本願は、平成７年４月１０日の特許出願である。
（２）審査の過程で、平成１１年６月８日付けで拒絶の理由が通知され（発送日：平成１１年６月１１日）、平成１２年１２月２８日付けで拒絶をすべき旨の査定がなされ、その後（発送日：平成１３年１月９日）、その査定の謄本が送達された。
（３）その査定の謄本の送達があった日から３０日以内である平成１３年２月８日に、その査定を不服として審判が請求された。
　
２．拒絶の査定の理由の概要
　拒絶の査定の理由の概要は、平成１１年６月８日付けの拒絶理由通知書及び平成１２年１２月２８日付けの拒絶査定書の記載からみて、次のようなものである。
「この出願の請求項１〜４に係る発明は、その出願前日本国内において頒布された下記の刊行物１〜４に記載された発明に基いて、その出願前にその発明の属する技術の分野における通常の知識を有する者が容易に発明をすることができたものであるから、特許法第２９条第２項の規定により特許を受けることができない。
　よって、この出願は、拒絶をすべきものである。
＜引用刊行物＞　　　　　　　　　　　　　　　　
　１．特開昭６４−２７６６８号公報
　２．特開平６−１８４９５２号公報
　３．特開平５−２２９０６７号公報
　４．特開昭４９−２５８８５号公報　」
　
３．本願発明
　この出願の請求項１〜４に係る発明（以下、「本願発明１」などいう。）は、願書に添付された明細書の記載からみて、特許請求の範囲の請求項１〜４に記載された事項によりそれぞれ特定されるとおりのものであると認められるところ、該請求項１の記載は、次のとおりである。
　「【請求項１】　無機質系基材上に顔料を含む下塗塗料を塗装し、次いで粒径２０〜３６０μｍのカラー粒子及び粒径２５０μｍ以下の透明粒子を含む上塗塗料を塗り重ねることを特徴とする意匠性に優れる無機質化粧板の製造方法。」
　
４．引用刊行物に記載された発明
（１）特開平５−２２９０６７号公報（以下、「引用例１」という。）
　引用例１には、次のような事項が記載されている。
ア．「本発明スウェード調化粧材は、基材上にビーズ顔料を含む艶消し層を有する化粧材において、艶消し層が粒径の異なる少なくとも２色のビーズ顔料を含有することを特徴とする。…粒径の異なる少なくとも２色のビーズ顔料が大きい粒径のビーズ顔料の平均粒径が４５〜１００μｍであり、小さい粒径のビーズ顔料の平均粒径が５〜４５μｍであることが好ましい。」（２頁２欄１〜８行目）
イ．「本発明化粧材１は…基材２上にビーズ顔料３を含む艶消し層４を有し、更に必要に応じて艶消し層４の下に隠蔽層５、装飾層６等を形成し…設けることもできる。艶消し層４は化粧材１に艶消しの意匠を付与するためのもので、少なくとも大きい粒径のビーズ顔料３１と小さい粒径のビーズ顔料３２からなる２種類のビーズ顔料が異なる色であればよい。本発明化粧材は艶消し層３に色の異なる２色のビーズ顔料を、粒径を異ならしめたことにより、スウェードの如き艶消し表面を与えるとともに、更に色の深みと立体感を付与することができる。…ビーズ顔料３は、粒径、色等特に限定されないが、平均粒径は５〜１００μｍ程度のものが通常用いられ‥‥‥小さい粒径のビーズ顔料３２としては５〜４５μｍ…の平均粒径を組み合わせて用いるのが好ましい。本発明艶消し化粧材において、艶消し層５に添加されるビーズ顔料３は２色以上用いることもできる。…例えば…艶消し層４のビーズ顔料の色を赤色（３Ａ）、黄色（３ｂ）、黒色（３ｃ）のように異なる３つの色から構成し、赤色のビーズ顔料（３Ａ）に粒径の大きなものを使用し、黄色（３ｂ）と黒色（３ｃ）のビーズ顔料に小さな粒径のものを使用している。このように組み合わせた場合、艶消し層４において、赤色ビーズ顔料（３Ａ）：黄色ビーズ顔料（３ｂ）、又は赤色ビーズ顔料（３Ａ）：黒色ビーズ顔料（３ｃ）との間でそれぞれ、立体感が得られる。」（２頁２欄１５〜４６行目）
ウ．「…ビーズ顔料は、例えば、Ｆｅ２Ｏ３、ＴｉＯ２、ＣａＣＯ３、キナクリドン等の通常の顔料の微粉末表面を、ポリウレタン、アクリル、エポキシ、ポリエステル、ナイロン、フッ素樹脂、塩化ビニル−酢酸ビニル共重合体等の弾力性のある樹脂、またはこれに必要に応じ可塑剤、安定剤、界面活性剤等を加えて、被覆して粒状に形成したもの等である。」（３頁３欄１４〜２０行目）
エ．「艶消し層４を形成するバインダー樹脂の材質として熱可塑性樹脂や常温硬化型樹脂、電離放射線硬化性樹脂等が用いられる。具体的には、例えばアクリル、キレート硬化型アクリル、ポリエステルウレタン、２液硬化型の樹脂としてはエポキシ硬化型アクリル、アクリルウレタン、ウレタンエラストマー等が挙げられ、電離放射線硬化性樹脂としては、エポキシアクリレート、ポリエステルアクリレート、ウレタンアクリレート等をオリゴマーとし、これに２−ヒドロキシエチルアクリレート、ネオペンチルグリコールジアクリレート、トリメチロールプロパントリアクリレート、ジペンタエリスリトールヘキサアクリレート等のモノマーを配合したもの等が挙げられる。なかでもアクリルウレタン、ウレタンエラストマーが耐擦傷性に優れた樹脂層が得られることから好ましい。」（３頁３欄２１〜３５行目）
オ．「本発明スウェード調化粧材１において用いられる基材２は特に限定されずこの種化粧材基材として用いられるものであればどのようなものでもよい。例えば、…紙、ガラス繊維、石綿、チタン酸カリウム繊維、アルミナ繊維、シリカ繊維、炭素繊維等の無機質繊維、…アルミニウム、鉄、ステンレス鋼、銅等の金属箔、木材単板、木材合板、パーチクルボード、ＭＤＦ（中密度繊維板）等の木質板、石膏板、石膏スラグ板等の石膏系板、珪酸カルシウム、石膏スレート板、軽量発泡コンクリート板、中空押出セメント板等のセメント板、パルプセメント板、石綿セメント板、木片セメント板、硝子繊維強化コンクリート板等の繊維セメント板、陶器、磁器…琺瑯等のセラミックス板、鉄板、亜鉛メッキ鋼板、ポリ塩化ビニルゾル塗工鋼板、アルミニウム板、銅板等の金属板…ＦＲＰ板…を用いてもよい。」（３頁３欄３６行目〜同頁４欄３１行目）
カ．「…装飾層６は化粧材の装飾性を向上させる為に設けられるものであり…基材２の表面…に、絵柄、模様、図柄等の所望のパターン又は全面にベタ刷りにより形成する。…隠蔽層５は下層の基材２の表面を隠蔽するために設けるもので、該層により基材の材質の影響を受けずに表面の艶消し層や装飾層を形成することができ…隠蔽層５はベヒクル中に酸化チタン等の隠蔽性を有する顔料を添加したインキ等を用い印刷形成することができる。」（３頁４欄３３〜５０行目）
キ．「本発明艶消し化粧材を製造するには、基材２の表面に必要に応じて隠蔽層５及び装飾層６等の層を形成した後、前述のバインダー樹脂中に粒径の異なる少なくとも２色のビーズ顔料を添加したスウェード調塗料を基材２の表面に直接塗工して、バインダー樹脂の種類に応じた硬化方法で塗膜を硬化させて形成することができる。」（４頁５欄７〜１３行目）
ク．「本発明スウェード調化粧材は…従来のスウェード調化粧材に比較して、艶消し層に粒径と色を異ならしめたビーズ顔料を含有せしめたことにより、ビーズ顔料によるスウェードの如き優れた艶消し状態と共に、粒径と色が異なることから立体感と色の深みを有する優れた意匠を表現することができ…優れたスウェードの如き意匠を付与することができる効果を有する。」（４頁６欄４０〜４９行目）
　これらの記載事項からみて、引用例１には、次のような発明（以下、「引用発明１」という。）が記載されていると認めることができる。
「【引用発明１】　基材２上に必要に応じ隠蔽層５及び装飾層６等の層を形成し、次いで平均粒径が５〜４５μｍ程度の黄色（３ｂ）と黒色（３ｃ）の小さい粒径のビーズ顔料３２及び平均粒径が４５〜１００μｍの赤色（３Ａ）の大きい粒径のビーズ顔料３１をバインダー樹脂中に添加したスウェード調塗料を塗り重ねたスウェードの如き優れた艶消し状態と共に優れた意匠を表現することができるスウェード調化粧板の製造方法。」
（２）特開平６−１８４９５２号公報（以下、「引用例２」という。）
　引用例２には、次のような事項が記載されている。
ア．「本発明化粧シート１は、ビーズ顔料３を添加して練り込んだ熱可塑性樹脂をシート上に製膜し、更にその表面にエンボス版を用いて凹凸パターン４を賦型してなる樹脂層２を少なくとも有する。…樹脂層２を基材シート５上に積層せしめて構成することもできる。」（３頁３欄１０〜１６行目）
イ．「…ビーズ顔料３は樹脂の球状微粒子よりなる顔料であって、必要に応じてその内部に…着色剤を含むものである。…球状体に形成したり…粒状に形成したものが挙げられる。上記ビーズ顔料３の粒径は、粒状分布が０．５μｍ〜２００μｍ…であるものを用いる。」（３頁３欄１７〜３３行目）
ウ．「熱可塑性樹脂に添加されるビーズ顔料３は、１色に限らず２色以上用いることもできる。また、２色以上のビーズ顔料３を用いた場合、各色ごとにビーズ顔料３の粒径分布や最頻出粒径を異ならせることもできる。」（３頁３欄４３〜４７行目）
（３）特開昭６４−２７６６８号公報（以下、「引用例３」という。）
　引用例３には、次のような事項が記載されている。
ア．「…透明な微小球状体を分散させた透明樹脂塗料を塗布した後、塗布面が硬化する前に塗布面に透明防滑用骨材を散布する工程を有する透光性を有する防滑性樹脂塗膜の形成方法。…微小球状体はガラスビーズ及び／又はプラスチックビーズである…微小球状体の粒径が５０〜８００μｍである…透明防滑用滑材は、ガラス、ホワイトコランダム、石英及びムライトよりなる群から選ばれる１種又は２種以上の粉状体である…透明樹脂塗料は、エポキシ樹脂、アクリル樹脂、不飽和ポリエステル樹脂及びフッ素樹脂よりなる群から選ばれる１種又は２種以上の樹脂塗料である…」（１頁特許請求の範囲）
イ．「優れた透光性を有することから美麗な塗装面を得ることができ、しかも比較的厚い塗膜をも形成することができる防滑性樹脂塗膜の形成方法に関する。…建物の床、歩道、その他人の歩く面に柔軟性や防滑性を付与するために、骨材等を配合した塗料樹脂を用いる」（２頁左上欄６〜１３行目）
ウ．「塗膜を形成する基材１の表面に透明な微小球状体２を分散させた透明樹脂塗料３を塗布する…透明な微小球状体‥２としては、特に真球状のものが好ましく、例えばガラスビーズ、プラスチックビーズ等が好適である。これらの球状体の粒径は、大きい程厚さの厚い膜厚の形成に有利であるが、過度に大きいと塗膜形性能が低下するため、球状体の粒径は５０〜８００μｍ、好ましくは１００〜７００μｍ程度とする。また、このような球状体を分散させる透明樹脂塗料としては、透光性を有し、上記球状体を保持するバインダーとしての特性に優れ、また耐候性等にも優れているものが好ましく、例えば、エポキシ樹脂、アクリル樹脂、不飽和ポリエステル樹脂、フッ素樹脂等、あるいはこれらと他の樹脂とのブレンド品、これらの樹脂の共重合体等を用いることができる。」（２頁右下欄６行目〜３頁左上欄５行目）
エ．「球状体２を分散させた透明樹脂塗料３を塗布した後、塗布面３ａが硬化する前に…透明防滑用骨材５を散布する…。透明防滑用骨材…５としては、…硬度の高いものを選択することにより、得られる防滑性樹脂塗膜の耐摩耗性を向上させることができる。骨材５としては、ガラス、石英、ホワイトコランダム、ムライト等の…粉粒体の中から、要求特性に応じた屈折率、硬度のものを用いるのが好ましい。…一般には、骨材５としては、粒径３００〜１５００μｍ程度のものを用い」（３頁左下欄６行目〜同頁右下欄１７行目）
オ．「本発明の方法は、タイル、セメント、コンクリート、ガラス等のセラミック基材の他、種々な基材に対して適用することが可能であって…２．０〜４．０ｍｍ程度の厚さの透光性に優れた防滑性樹脂塗膜を容易に形成することができる。」（４頁左上欄１５〜２０行目）
カ．「本発明の透光性を有する防滑性樹脂塗膜の形成方法によれば、膜強度が高く、従って、膜厚の厚い、しかも透明度が極めて高い塗膜であって、防滑性に優れた面を容易に形成することができる。従って、このような本発明の方法によれば、白色ないし淡色形の色相の防滑面や、下地基材の色相を生かした半透明の防滑面等をも形成することができ、施工面の色彩の多様化を図り、その美観を高めることができる。」（５頁左上欄７〜１６行目）
　
５．本願発明と引用発明の対比及び判断
（１）対比
　本願発明と引用発明１を対比すると、引用発明１の「スウェードの如き優れた艶消し状態と共に優れた意匠を表現することができる」は、その技術的意義において、本願発明の「意匠性に優れる」に、以下同様に、「をバインダー樹脂中に添加したスウェード調塗料」は「を含む上塗塗料」に、それぞれ相当すると認められる。
　また、本願発明の「無機質系基材」と引用発明１の「基材２」は、「基材」の限度で一致し、本願発明の「顔料を含む下塗塗料を塗装し」と引用発明１の「必要に応じ隠蔽層５及び装飾層６等の層を形成した後」は、「下塗塗料を塗装し」の限度で一致し、本願発明の「粒径２０〜３６０μｍのカラー粒子及び粒径２５０μｍ以下の透明粒子」と引用発明１の「平均粒径が５〜４５μｍ程度の黄色（３ｂ）と黒色（３ｃ）の小さい粒径のビーズ顔料３２及び平均粒径が４５〜１００μｍの赤色（３Ａ）の大きい粒径のビーズ顔料３１」は、「粒径２０〜４５μｍのカラー粒子及び粒径４５〜１００μｍの前記カラー粒子と異なるものとして視認できる粒子」の限度で一致し、本願発明の「無機質化粧板」と引用発明１の「スウェード調化粧板」は、「化粧板」の限度で一致していると認められる。
　してみると、本願発明と引用発明１の一致点及び相違点は、次のとおりである。
＜一致点＞
　基材上に下塗塗料を塗装し、次いで粒径２０〜４５μｍのカラー粒子及び粒径４５〜１００μｍの前記カラー粒子と異なるものとして視認できる粒子を含む上塗塗料を塗り重ねた意匠性に優れる化粧板の製造方法。
＜相違点＞
ア．基材の種類について、本願発明では、「無機質系基材」となっているのに対し、引用発明１では、「基材２」となっている点（以下、「相違点ア」という。）。
イ．下塗りについて、本願発明では、「顔料を含む下塗塗料を塗装し」となっているのに対し、引用発明１では、「必要に応じ隠蔽層５及び装飾層６等の層を形成し」となっている点（以下、「相違点イ」という。）。
ウ．上塗塗料の構成について、本願発明では、「粒径２０〜３６０μｍのカラー粒子及び粒径２５０μｍ以下の透明粒子」となっているのに対し、引用発明１では、「平均粒径が５〜４５μｍ程度の黄色（３ｂ）と黒色（３ｃ）の小さい粒径のビーズ顔料３２及び平均粒径が４５〜１００μｍの赤色（３Ａ）の大きい粒径のビーズ顔料３１」となっている点（以下、「相違点ウ」という。）。
エ．化粧板の種類について、本願発明では、「無機質化粧板」となっているのに対し、引用発明１では、「スウェード調化粧板」となっている点（以下、「相違点エ」という。）。
（２）相違点の検討
ア．相違点ア及びエについて
　引用例１には、上記記載事項オによれば、引用発明１のスウェード調化粧板の基材の実施例として無機質の素材が多数例示されているので、該基材の素材を該例示されたものから適当なものを選択することは、当業者にとって容易に実施することができるものというほかない。
　また、本願発明の無機質化粧板は、化粧板の基材として無機質のものを選定したものを含むことが明らかである。
　してみると、相違点ア及びエに係る本願発明の発明特定事項は、引用発明１に基づいて当業者にとって容易に想到できたものというべきである。
イ．相違点イについて
　引用例１には、上記記載事項カの「隠蔽層５はベヒクル中に酸化チタン等の隠蔽性を有する顔料を添加したインキ等を用い印刷形成することができる」との記載のように、「顔料を含む下塗塗料を塗装すること」が示唆されている。
　また、本願発明に係る明細書において、実施例として、下塗りと上塗りの間に中塗りが施された例が記載されていることに照らせば、本願発明が、下塗りと上塗りの間に別の塗料を塗ることを排除するものでないことは、明らかである。
　してみると、相違点イに係る本願発明の発明特定事項は、引用発明１の実施に際し、当業者にとって必要に応じ容易に想到できたものというべきである。
ウ．相違点ウについて
　該相違点ウに関し、本願発明１と引用発明１とは、「粒径２０〜４５μｍのカラー粒子及び粒径４５〜１００μｍの前記カラー粒子と異なるものとして視認できる粒子」の限度において一致していることは、前示のとおりである。
　そして、引用例１には、「カラー粒子と異なるものとして視認できる粒子」といえる「平均粒径が４５〜１００μｍの赤色（３Ａ）の大きい粒径のビーズ顔料３１」について、赤色とは別に「白色」の例も示されていて、「粒径と色が異なることから立体感と色の深みを有する優れた意匠を表現することができる」（記載事項ク参照）と記載されている。
　そもそも、色の選択やその配合具合に係る意匠性が優れているか否かは、主観的な問題であって、製品化に際しては、顧客の好み等を考慮して可能な色の選択や配合具合の中から適宜決定されているものと解される。
　また、引用例３には、該引用例３の上記記載事項ア〜カからみて、塗膜の透孔性の維持等の視覚的作用を期待して粒径５０〜８００μｍのガラスビーズやプラスチックビーズ等の透明な微小球状体を分散させて塗料を得ることが開示されている。
　そうすると、厳密には、透明は色の概念から外れるものであるかもしれないが、視覚的作用をなすものの限度で赤色や黄色等と格別異なるものではないので、当業者にとって、塗料中に分散させる微小粒子の材料の選択に際し、透明といった視覚的作用をなすものとして、粒径５０〜８００μｍのガラスビーズやプラスチックビーズ等の透明な微小球状体を選択肢の１つとすることに格別な困難性はないといえる。
　そして、粒径５０〜８００μｍのガラスビーズやプラスチックビーズ等の透明な微小球状体の一部は、本願発明の「粒径２５０μｍ以下の透明粒子」の数値範囲に格別な臨界的意義がないことに照らせば、該「粒径２５０μｍ以下の透明粒子」に含まれるというほかない。
　さらに、引用例２に記載事項からみて、塗料中に分散させる微小粒子の粒径は、その用途等により適宜選定できるものにすぎない。
　してみると、相違点ウに係る本願発明の発明特定事項は、引用発明１の実施に際し、赤色（３Ａ）の大きい粒径のビーズ顔料３１に換えて引用例３に記載されるようなガラスビーズやプラスチックビーズ等の透明な微小球状体を選定することにより、当業者にとって容易に想到できたものというべきである。
（３）作用効果について
　本願発明が奏する作用効果は、引用発明１及び引用例３に記載された技術的事項に基づいて当業者が予測することができる範囲を超えるものではない。
（４）対比及び判断のむすび
　したがって、本願発明は、引用発明１及び引用例３に記載された技術的事項に基づいて、当業者が容易に発明をすることができたものと認められる。
　
６．むすび　
　以上のとおりであるから、本願発明は、その出願前日本国内において頒布された刊行物に記載された発明に基いて、その出願前にその発明の属する技術の分野における通常の知識を有する者が容易に発明をすることができたものであるから、特許法第２９条第２項の規定により特許を受けることができない。
　したがって、この出願は、拒絶をすべきものである。
　よって、結論のとおり審決する。